(57)【要約】【課題】正確な画像読み取りを行うことができると共に、円滑なシートの搬送を行うことのできる画像読取装置及び画像形成装置を提供する。【解決手段】装置本体上面に、載置台１０２上にシートＳを載置するとき、シートＳのシート搬送方向と平行な一端が突き当てられるシート搬送方向に延びた第１突き当て部１１１ａと、シートＳのシート搬送方向の一端の角部が突き当てられる第２突き当て部１１１ｂを備えた位置決め部１１１を突設する。そして、位置決め部１１１の第２突き当て部１１１ｂを、載置台１０２上にシート搬送手段によりシートＳを搬送してシートＳの画像を読み取る際、シート搬送手段により搬送されるシートＳと触れることのない位置に設けるようにする。【選択図】図４
2008306295.tif 000002
【特許請求の範囲】
【請求項１】
装置本体上面に設けられた載置台上にシート搬送手段により搬送されたシートの画像を読み取る第１モードと、前記載置台上に載置されたシートの画像を読み取る第２モードとのいずれかのモードで画像を読み取る画像読取装置において、
前記装置本体上面に突設され、前記第２モードの際、前記載置台上に載置されるシートの、前記シート搬送手段によるシート搬送方向と平行な一端が突き当てられるシート搬送方向に延びた第１突き当て部と、シートのシート搬送方向の一端の第１突き当て部側角部が突き当てられる第２突き当て部とを有する位置決め部を備え、
前記位置決め部の第２突き当て部を、前記第１モードの際、前記シート搬送手段により搬送されるシートと触れることのない位置に設けたことを特徴とする画像読取装置。
【請求項２】
シートの画像を読み取る画像読取部と、
前記画像読取部のシート搬送方向と直交する方向の画像読み取り範囲を制御する制御部と、を備え、
前記制御部は、前記第１モードの際には前記画像読取部による画像読み取り範囲を、前記第２モードの際の画像読み取り範囲よりも前記第２突き当て部のシート搬送方向と直交する方向の長さ分以上シート搬送方向と直交する方向に、かつ前記第２突き当て部から離れる方向にずらすよう制御することを特徴とする請求項１記載の画像読取装置。
【請求項３】
前記シート搬送手段は、前記装置本体上面のシート搬送方向と平行な一端に開閉自在に設けられ、前記第２モードの際、前記載置台に載置されたシートを上方より押えるシート押圧部に設けられていることを特徴とする請求項１又は２記載の画像読取装置。
【請求項４】
前記シート搬送手段は、前記載置台上に搬送したシートに対する画像読み取りが終了した後、シートをシート搬送方向と同じ方向又はシート搬送方向と逆方向に選択的に搬送することを特徴とする請求項３記載の画像読取装置。
【請求項５】
前記位置決め部を前記載置台の前記シート押圧部側又は前記シート押圧部と反対側に配置したことを特徴とする請求項１ないし４のいずれか１項に記載の画像読取装置。
【請求項６】
前記請求項１ないし５のいずれか１項に記載の画像読取装置と、前記画像読取装置により読み取られた画像をシートに形成する画像形成部と、を備えたことを特徴とする画像形成装置。
【発明の詳細な説明】
【技術分野】
【０００１】
本発明は、画像読取装置及び画像形成装置に関し、特にシートの画像を読み取る際、載置台上に載置されたシートの位置決めを行うための構成に関する。
【背景技術】
【０００２】
従来、画像読取装置、或は画像読取装置を備えた画像形成装置において、シートの画像を読み取る場合に、例えば載置台である原稿台ガラス上にシートである原稿を載置した後、原稿押圧板によって原稿を押えることにより、原稿を固定するようにしている。そして、この状態で原稿台ガラスの下方に配された画像読取ユニットを読み取り方向に移動させることにより、原稿に記録された画像を読み取るようにしている。
【０００３】
ここで、シート押圧部である原稿押圧板としては、原稿を自動的に原稿台ガラス上に搬送する自動原稿搬送装置（ＡＤＦ）の裏面で構成されるものがあり、原稿を読み取る場合には原稿搬送装置を閉じるようにしている。
【０００４】
図１１は、このような従来の画像読取装置の概略構成を示す図であり、画像読取装置Ｊは、原稿の画像を読み取るスキャナ部８と、原稿を原稿台ガラス１２上に搬送するための自動原稿搬送装置１１を備えている。
【０００５】
なお、自動原稿搬送装置１１は原稿台ガラス１２を露出し得るようにスキャナ部８に開閉回動自在に設けられている。また、自動原稿搬送装置１１は、原稿Ｓを積載する給紙トレイ２、ピックアップローラ３、分離部４、搬送ローラ５、レジストローラ６及び搬送ベルト７を備えている。
【０００６】
そして、画像読取装置Ｊは、例えば給紙トレイ２に積載された原稿を自動原稿搬送装置１１によって原稿台ガラス１２上に搬送することにより原稿画像を読み取るようにしている。
【０００７】
ここで、給紙トレイ２に積載された原稿Ｓを読み取る場合、まず自動原稿搬送装置１１は、給紙トレイ２に積載された原稿Ｓを、ピックアップローラ３及び分離部４により１枚ずつ分離・給送する。この後、搬送ローラ５、レジストローラ６及び搬送ベルト７により原稿Ｓを原稿台ガラス１２上に搬送し、所定の読み取り位置で停止させる。
【０００８】
次に、原稿台ガラス１２上の読み取り位置に停止した原稿Ｓの画像をスキャナ部８によって読み取る。なお、原稿Ｓの両面の画像を読み取る場合は、反転部９によって裏表を反転させた後、再度、原稿Ｓを原稿台ガラス１２上の読み取り位置に停止させて原稿裏面の画像を読み取る。そして、このように画像を読み取った後、原稿Ｓを搬送ベルト７により排出部１０に搬送し、この後、排出部１０によって排出トレイ１３上へ排紙する。
【０００９】
一方、画像読取装置Ｊは、原稿Ｓの種類や枚数によっては自動原稿搬送装置１１を用いることなく、操作者により原稿Ｓを原稿台ガラス１２上に載置した後、原稿画像を読み取るようにしている。そして、このように原稿台ガラス１２上に載置された原稿画像を読み取る場合は、まず原稿Ｓを原稿台ガラス１２上に載置し、この後、スキャナ部８によって読み取るようにする。
【００１０】
ところで、このように原稿台ガラス１２上に原稿Ｓを載置する場合、原稿Ｓの、図１２に示す搬送ベルト７による原稿搬送方向Ｍと平行な一側端の位置決めは、原稿台ガラス１２に設けた指標板３１に原稿Ｓを突き当てることによって行う。また、原稿搬送方向の一端の位置決めについては操作者が、指標板３１に示されているマーク３１ａに原稿Ｓの原稿搬送方向上流側端（角部）を合わせることにより行う（特許文献１参照）。
【００１１】
【特許文献１】特開平０６−１５６７５１号公報
【発明の開示】
【発明が解決しようとする課題】
【００１２】
しかしながら、従来の画像読取装置において、原稿搬送方向の位置決めのため指標板３１に付されたマーク３１ａに原稿の端部（角部）を合わせる場合、その操作は操作者の視覚に頼ることになるため、操作者が間違った位置に原稿を載置する場合がある。つまり、従来の画像読取装置では、原稿搬送方向においては不正確な位置に原稿を載置してしまう恐れがあり、この場合には、正確な画像読み取りを行うことができない。
【００１３】
なお、原稿台ガラス１２の原稿搬送方向と直交する端部に原稿の端部を突き当てるような指標板を設けた場合には、操作者が間違った位置に原稿を載置するということは防ぐことができる。しかし、このような指標板を設けた場合には、搬送ベルトによって原稿を搬送する場合、原稿が指標板に引っ掛かることによって円滑な原稿搬送を行うことができないという問題が生じる。
【００１４】
そこで、本発明は、このような現状に鑑みてなされたものであり、正確な画像読み取りを行うことができると共に、円滑な原稿（シート）の搬送を行うことのできる画像読取装置及び画像形成装置を提供することを目的とするものである。
【課題を解決するための手段】
【００１５】
本発明は、装置本体上面に設けられた載置台上にシート搬送手段により搬送されたシートの画像を読み取る第１モードと、前記載置台上に載置されたシートの画像を読み取る第２モードとのいずれかのモードで画像を読み取る画像読取装置において、前記装置本体上面に突設され、前記第２モードの際、前記載置台上に載置されるシートの、前記シート搬送手段によるシート搬送方向と平行な一端が突き当てられるシート搬送方向に延びた第１突き当て部と、シートのシート搬送方向の一端の第１突き当て部側角部が突き当てられる第２突き当て部とを有する位置決め部を備え、前記位置決め部の第２突き当て部を、前記第１モードの際、前記シート搬送手段により搬送されるシートと触れることのない位置に設けたことを特徴とするものである。
【発明の効果】
【００１６】
本発明のように、シートのシート搬送方向の一端の角部が突き当てられる位置決め部の第２突き当て部を、シート搬送手段により搬送されるシートと触れることのない位置に突設することにより、正確な画像読み取り及び円滑なシートの搬送を行うことができる。
【発明を実施するための最良の形態】
【００１７】
以下、本発明を実施するための最良の形態について図面を用いて詳細に説明する。
【００１８】
図１は、本発明の第１の実施の形態に係る画像読取装置の一例であるデジタルスキャナの概略構成図である。
【００１９】
図１において、１はデジタルスキャナであり、このデジタルスキャナ１は、シートである原稿の画像を読み取るスキャナ部１０１と、スキャナ部１０１の上面に上下方向に開閉回動可能に設けられた自動原稿給送装置（ＡＤＦ）２０１とを備えている。
【００２０】
装置本体を構成するスキャナ部１０１は、スキャナ部１０１の上面（装置本体上面）に設けられているシート載置台としてのプラテンガラス１０２と、プラテンガラス１０２上の原稿の画像を走査して読み取るための画像読取部１０１Ａを備えている。
【００２１】
画像読取部１０１Ａは、原稿に光を照射するためのランプ１０３と、原稿からの反射光を折り返すための第１ミラー１０４、第２ミラー１０５及び第３ミラー１０６を備えている。さらに、各ミラー１０４〜１０６の反射光を結像するレンズ１０７と、レンズ１０７によって結像された原稿の画像を読み取るＣＣＤ（Ｃｈａｒｇｅ  Ｃｏｕｐｌｅｄ  Ｄｅｖｉｃｅ）素子１０８とを備えている。
【００２２】
なお、原稿を走査するためにランプ１０３及び第１ミラー１０４は第１キャリッジ１０９ａにより、第２ミラー１０５及び第３ミラー１０６は第２キャリッジ１０９ｂによって夫々図１に示す副走査方向であるＫ方向に移動可能に保持されている。
【００２３】
ここで、プラテンガラス１０２上に載置された原稿Ｓの画像を読み取る際には、第１及び第２キャリッジ１０９ａ，１０９ｂを不図示のモータによりＫ方向に移動するようにしている。そして、このように移動する際に、プラテンガラス上の原稿の表面に対しランプ１０３から光を照射するようにしている。なお、原稿Ｓからの反射光は、第１〜第３反射ミラー１０４〜１０６を介してレンズ１０７に導かれ、レンズ１０７によってＣＣＤ素子１０８の受光部に結像され、これにより原稿画像が読み取られる。
【００２４】
自動原稿給送装置２０１は、プラテンガラス１０２に載置された原稿を上方より押えるシート押圧部を構成するものであり、図２に示すようにヒンジＨによってスキャナ部１０１のシート搬送方向と平行な一端に開閉自在に取付けられている。
【００２５】
この自動原稿給送装置２０１は、開放することによりプラテンガラス１０２を開放し得る構成となっており、プラテンガラス１０２上に原稿を載置する場合は、まず図２のようにプラテンガラス１０２を開放するようにしている。そして、このようにプラテンガラス１０２を開放した後、プラテンガラス１０２上の所定の画像読み取り位置に原稿を載置するようにしている。
【００２６】
また、この自動原稿給送装置２０１は、図１に示すように原稿Ｓが載置される原稿トレイ２０２と、シート搬送手段である給送部２０と、排出部２２とを備えている。ここで、給送部２０は、原稿トレイ２０２に画像形成面を上にした状態で積載された原稿Ｓを順次最上位のものから一枚ずつ取出しプラテンガラス１０２の一端側（図中左端側）に供給するためのものである。
【００２７】
そして、この給送部２０には、原稿トレイ２０２に載置された原稿を給送するためのピックアアップローラ２０３と、ピックアップローラ２０３によって給送された原稿を一枚ずつに分離するための分離部２０４が設けられている。さらに、分離部２０４によって一枚ずつに分離された原稿Ｓをプラテンガラス１０２に向けて搬送する搬送ローラ対２０５とレジストローラ２０６とが設けられている。なお、原稿トレイ２０２に載置された原稿Ｓの端部に対応する位置に原稿トレイ２０２に原稿Ｓがセットされたか否かを検知するための原稿有無センサＦが設けられている。
【００２８】
また、給送部２０は、プラテンガラス１０２上に原稿Ｓを搬送する原稿搬送部２３を備えており、この原稿搬送部２３には、プラテンガラス１０２の上面を覆うように搬送手段としての搬送ベルト２０７が設けられている。そして、レジストローラ２０６によって給送された原稿Ｓを、プラテンガラス１０２の一端（左端）側から他端（右端）側に搬送し、排出部２２を構成している排出搬送ローラ対２０８及び排出ローラ２０９によって排出トレイ２１０上に排出するようになっている。
【００２９】
なお、回転体である搬送ベルト２０７はベルトローラ１０２ａ〜１０２ｆに張設され、正逆転可能に構成されている。これにより、プラテンガラス１０２上に搬送された原稿は図１の左端側へも右端側へも搬送ベルト２０７によってプラテンガラス１０２から搬出され得る構成となっている。
【００３０】
また、給送部２０には原稿Ｓの表裏を反転するための反転部２１が設けられており、この反転部２１は、反転搬送ローラ２１１，２１２によって構成されている。そして、この反転部２１は、搬送ベルト２０７によってプラテンガラス１０２の左端側から搬出された原稿Ｓを受け取って表裏を反転するように搬送し、レジストローラ２０６を介して再度原稿Ｓを搬送ベルト側に搬送するようにしている。
【００３１】
なお、図１において、Ｃはデジタルスキャナ１の画像読取動作を制御する制御部であり、この制御部Ｃは、例えば後述する画像読取部１０１Ａの原稿搬送方向と直交する方向である奥行き方向の画像読み取り範囲を制御するようになっている。
【００３２】
次に、このように構成された自動原稿給送装置２０１を備えたデジタルスキャナ１の原稿画像読み取り動作について説明する。
【００３３】
まず、自動原稿給送装置２０１によりプラテンガラス上に搬送された原稿の画像を読み取る動作について説明する。
【００３４】
この場合、まず自動原稿給送装置２０１において、給紙ローラ２０３を原稿Ｓの上面に当接させた後、給紙ローラ２０３を回転し、最上位の原稿Ｓを分離部２０４に搬送する。ここで、原稿Ｓが複数枚重なって搬送された場合には、分離部２０４により最上位の原稿Ｓを他の原稿から分離して搬送する。
【００３５】
次に、１枚に分離された原稿Ｓは、搬送ローラ２０５により、停止しているレジストローラ２０６に搬送された後、レジストローラ２０６によって先端が揃えられ、この後、レジストローラ２０６が回転すると、原稿Ｓは搬送ベルト２０７に搬送される。次に、原稿Ｓは、搬送ベルト２０７によりプラテンガラス１０２上の所定の画像読み取り位置に搬送され、この位置で停止する。
【００３６】
このように原稿Ｓが画像読み取り位置で停止した後、矢印Ｋ方向に第１及び第２キャリッジ１０９ａ，１０９ｂが移動し、この際、プラテンガラス１０２上の原稿Ｓがランプ１０３で照らされる。そして、この原稿Ｓからの反射光が第１〜第３反射ミラー１０４〜１０６を介してレンズ１０７に導かれた後、レンズ１０７によってＣＣＤ素子１０８の受光部に結像され、原稿画像は電気信号へと変換される。
【００３７】
次に、このようにして画像が読み取られた後、原稿Ｓは搬送ベルト２０７により排出部２２側に搬送され、排出搬送ローラ対２０８及び排出ローラ２０９によって排出トレイ２１０上に排出される。
【００３８】
なお、本実施の形態においては、自動原稿給送装置２０１は、原稿Ｓに対する画像読み取りが終了した後、原稿Ｓを原稿搬送方向と同じ方向又は原稿搬送方向と逆方向に選択的に搬送することができるようになっている。このため、レジストローラ２０６の下流側には、レジストローラ２０６を通過した原稿を、反転部２１へ選択的に導く反転給紙フラッパ２１３が配置されている。
【００３９】
そして、画像が読み取られた原稿Ｓを原稿トレイ２０２上に排出する場合は、搬送ベルト２０７を反転させると共に、反転給紙フラッパ２１３を切り替えて原稿トレイ２０２に導くようにしている。
【００４０】
また、原稿Ｓの裏面の画像を読み取る場合は、片面の画像が読み取られた後に、原稿Ｓを搬送ベルト２０７及び反転搬送ローラ２１１，２１２によりプラテンガラス１０２の図１における左端から排出して搬送する。この後、再びレジストローラ２０６及び搬送ベルト２０７により原稿台ガラス１０２上に搬送することで、原稿Ｓの裏表を反転させる。
【００４１】
そして、片面の画像を読み取る時と同様にして画像を読み取った後に、更にもう一度反転部２１によって裏表を反転させてから、原稿Ｓを搬送ベルト２０７、排出搬送ローラ対２０８及び排出ローラ２０９により排出トレイ２１０上に排出する。
【００４２】
一方、プラテンガラス１０２に原稿を載置した状態で原稿画像を読み取る場合は、まず自動原稿給送装置２０１を図２に示すように上方回動して開いた後、原稿をプラテンガラス１０２に載置する。
【００４３】
ここで、本実施の形態において、図３に示すようにプラテンガラス１０２（スキャナ部１０１）の奥側、即ち自動原稿給送装置側にはプラテンガラス１０２に原稿Ｓを載置する際、原稿Ｓを位置決めするための位置決め部材としての指標板１１１が設けられている。
【００４４】
この指標板１１１は、それぞれプラテンガラス１０２の上面よりも突出し、原稿Ｓの矢印Ａに示す原稿搬送方向（シート搬送方向）と平行な側端、例えば奥側の側端を突き当てるための原稿搬送方向に延びた第１突き当て部１１１ａを備えている。また、原稿Ｓの原稿搬送方向の一端の角部、例えば原稿搬送方向後端の第１突き当て部側角部（以下、後端の角部という）を突き当てるための第２突き当て部１１１ｂとを有している。
【００４５】
そして、プラテンガラス１０２に原稿Ｓを載置する際、原稿Ｓの奥側の側端を第１突き当て部１１１ａに、後端の角部を第２突き当て部１１１ｂに、それぞれ突き当てることにより、原稿Ｓに対する画像読み取り位置における位置決めを行うようにしている。
【００４６】
ここで、第２突き当て部１１１ｂを突出させた場合、例えばプラテンガラス１０２上に搬送された原稿Ｓをプラテンガラス１０２から原稿トレイ２０２に排出するように原稿Ｓを搬送する際、原稿Ｓと第２突き当て部１１１ｂとが干渉してしまう。そして、このように原稿Ｓと第２突き当て部１１１ｂとが干渉すると、円滑な原稿Ｓの搬送ができなくなる。
【００４７】
そこで、本実施の形態においては、図４において、Ｂで示す搬送ベルト２０７によって搬送される原稿Ｓが通過するプラテンガラス１０２上の原稿搬送領域の第２突き当て部側端を、第２突き当て部１１１ｂの端部１１１ｃから離間した位置としている。具体的には、搬送ベルト２０７による原稿搬送領域Ｂを、第２突き当て部１１１ｂの奥行き方向の長さ分以上シート搬送方向である奥行き方向に、かつ第２突き当て部１１１ｂから離れる方向にずらすようにしている。
【００４８】
このように原稿搬送領域Ｂをずらすことにより、原稿Ｓは、搬送ベルト２０７によって第２突き当て部１１１ｂの端部１１１ｃから離間した位置を通過して原稿台ガラス１０２上に搬送されて停止し、画像が読み取られる。なお、原稿Ｓを反転するために搬送ベルト２０７を逆転した時には、原稿Ｓは矢印Ａと逆方向（反転部２１の方向）に搬送されるが、この場合も、原稿Ｓは第２突き当て部１１１ｂの端部１１１ｃから離間した位置を通過して行く。
【００４９】
このように原稿搬送領域Ｂを、第２突き当て部１１１ｂよりも奥行き方向にずらすことにより、第２突き当て部１１１ｂと、搬送される原稿Ｓとが干渉することがないようにすることができる。この結果、指標板１１１の第２突き当て部１１１ｂに引っかかること無く、自動原稿給送装置２０１により、円滑に原稿Ｓを搬送することができる。
【００５０】
ところで、原稿搬送領域Ｂを、このような位置とした場合、操作者が直接プラテンガラス１０２に原稿Ｓを載置した場合と、自動原稿給送装置２０１により搬送された原稿Ｓの画像を読み取る読み取り位置が異なるようになる。
【００５１】
そこで、本実施の形態においては、画像読取部１０１Ａによる画像読み取り範囲を、自動原稿給送装置２０１により搬送された原稿画像を読み取る場合と、操作者がプラテンガラス１０２に載置した原稿画像を読み取る場合とで変更するようにしている。即ち、画像読み取り範囲を、プラテンガラス１０２に載置した原稿画像を読み取る範囲に対し、自動原稿給送装置２０１により搬送された原稿画像を読み取る範囲を、少なくとも第２突き当て部１１１ｂの奥行き方向の長さ分だけ奥行き方向にずらすようにしている。
【００５２】
なお、このような画像読取部１０１Ａの奥行き方向の画像読み取り範囲をずらす制御は、既述したように制御部Ｃ（図１参照）により行われる。
【００５３】
図５は、デジタルスキャナ１の制御ブロック図である。制御部Ｃは、原稿に光を照射するランプ１０３の点灯及び消灯、キャリッジ１０９を駆動して移動させる不図示の駆動モータのオン／オフ、ＣＣＤ素子１０８による原稿の反射光の読み取りをそれぞれ制御する。なお、ＣＣＤ素子１０８によって読み取られた原稿の画像情報は、制御部Ｃによって画像処理部Ｘに送られ、この画像処理部Ｘにおいて所定の画像処理が行なわれる。また、制御部Ｃは自動原稿給送装置２０１の給送部２０、排出部２２の駆動を制御する。
【００５４】
なお、２４は操作部であり、この操作部２４により、デジタルスキャナ１の原稿読取モードが設定される。
【００５５】
図６はスキャナ部１０１が原稿を読み取る際の状態を説明するための図である。図６の（ａ）はプラテンガラス上に載置（セット）した原稿の画像をスキャナ部１０１が読み取るときの状態を示す図である。図６の（ｂ）は自動原稿給送装置２０１によって搬送され、プラテンガラス１０２上に停止した原稿の画像をスキャナ部１０１が読み取るときの状態を示す図である。
【００５６】
ここで、操作者がプラテンガラス上に原稿Ｓを載置する場合、原稿Ｓは指標板１１１の第１突き当て部１１１ａ及び第２突き当て部１１１ｂに、夫々奥側の側端と後端角部が突き当てられることにより、プラテンガラス１０２に位置決めされる。この場合、制御部Ｃは、図６の（ａ）に示すように、指標板１１１によって位置決めされた原稿の載置領域に対応する領域Ｄの画像を有効な画像として読み取るようにスキャナ部１０１を制御する。以下、このような原稿画像読み取りをセット原稿読取モードという。
【００５７】
一方、自動原稿給送装置２０１によって搬送されると、原稿は原稿搬送領域Ｂ内であってプラテンガラス上の所定の停止位置に停止される。そして、この場合、制御部Ｃは、図６の（ｂ）に示すように、停止位置に停止された原稿に対応する領域Ｅの画像を有効な画像として読み取るようにスキャナ部１０１を制御する。以下、このような原稿画像読み取りを搬送原稿読取モードという。
【００５８】
このように、セット原稿読取モードと搬送原稿読取モードとでは、スキャナ部１０１（画像読取部１０１Ａ）が読み取るプラテンガラス１０２上の領域が異なるようになっている。これにより、搬送原稿読取モードの場合、指標板１１１の第２突き当て部１１１ｂに引っかかること無く、円滑に原稿Ｓを搬送することができる。なお、搬送原稿読取モードの際、自動原稿給送装置２０１により搬送された原稿が、原稿搬送領域Ｂを通過するよう自動原稿給送装置２０１は構成されている。
【００５９】
次に、セット原稿読取モードと搬送原稿読取モードを備えたデジタルスキャナ１の原稿画像読取動作について図７に示すフローチャートを用いて説明する。
【００６０】
まず、制御部Ｃは、操作部２４の不図示の読取りボタンが押下されると、原稿有無センサＦによって原稿トレイ２０２上の原稿の有無を検知する（Ｓ１）。ここで、原稿トレイ２０２上に原稿がある場合には（Ｓ１のＹ）、既述のように給送部２０（の搬送ベルト２０７）により原稿をプラテンガラス１０２上に搬送する（Ｓ２）。この後、原稿が図６の（ｂ）に示すプラテンガラス１０２の領域Ｅにおける所定の読み取り位置に達すると原稿の搬送を停止する（Ｓ３）。
【００６１】
次に、制御部Ｃはスキャナ部１０１を制御し、読み取り位置に停止した原稿の画像を、画像読取部１０１Ａにより第１モードである搬送原稿読取モードによって読み取る（Ｓ４）。そして、この搬送原稿読取モードによる読取が終了すると、搬送ベルト２０７、排出部２２を駆動し（Ｓ５）、原稿を排出トレイ２１０に排出する。
【００６２】
一方、読取りボタンが押下された際、原稿有無センサＦによって原稿トレイ上に原稿がセットされていないことが検知されると（Ｓ１のＮ）、制御部Ｃはスキャナ部１０１を制御し、第２モードであるセット原稿読取モードによって原稿の画像を読み取る（Ｓ６）。
【００６３】
以上説明したように、スキャナ部上面に第２突き当て部１１１ｂを突設することにより、プラテンガラス１０２上に原稿を載置する際に、操作者の視覚に頼らず正確にプラテンガラス１０２上の所定の位置に原稿を載置させることできる。これにより、位置精度の高い読取画像を得ることができる。また、搬送原稿読取モードの際には、指標板のないプラテンガラス上の領域を原稿が搬送されるために、第２突き当て部１１１ｂに引っ掛かることがなく円滑に原稿を搬送することができる。
【００６４】
つまり、指標板１１１の第２突き当て部１１１ｂを、スキャナ部上面の自動原稿給送装置２０１によって搬送される原稿と触れることのない位置に突設することにより、正確な画像読み取りを行うことができると共に、円滑な原稿の搬送を行うことができる。
【００６５】
なお、本実施の形態においては、第１突き当て部１１１ａと第２突き当て部１１１ｂを同一で一体の部材として構成しているが、夫々の突き当て部１１１ａ，１１１ｂを別部材によって構成してもよい。
【００６６】
また、これまでの説明においては、指標板１１１をプラテンガラス１０２の自動原稿給送装置側（シート押圧部側）に設けた場合について説明したが、本発明はこれに限らない。例えば、指標板１１１をプラテンガラス１０２の自動原稿給送装置２０１と反対側に設けるようにしても良い。
【００６７】
次に、このように指標板をプラテンガラスの自動原稿給送装置と反対側に設けるようにした本発明の第２の実施の形態について説明する。
【００６８】
図８は、本実施の形態に係る画像読取装置の一例であるデジタルスキャナのスキャナ部１０１の上視図である。なお、図８において、既述した図４と同一符号は、同一又は相当部分を示している。
【００６９】
図８において、４０２はプラテンガラス１０２の自動原稿給送装置と反対側（手前側）に設けられた指標板である。この指標板４０２は、原稿Ｓの矢印Ａに示す原稿搬送方向と平行な手前側の側端を突き当てるための原稿搬送方向に延びた第１突き当て部４０２ａを有している。また、原稿Ｓの原稿搬送方向の一端、例えば原稿搬送方向後端の角部を突き当てるための第２突き当て部４０２ｂを有している。
【００７０】
そして、プラテンガラス１０２に操作者が原稿を載置するセット原稿読取モードの際、第１突き当て部４０２ａには原稿Ｓの手前側の側端が突き当てられ、第２突き当て部４０２ｂには原稿Ｓの後端角部が突き当てられる。
【００７１】
ここで、このようにプラテンガラス１０２上の手前側に指標板４０２を設けることにより、即ち指標板４０２を操作者の手前側に設けることにより、操作者が原稿Ｓをセットする場合、原稿Ｓのセットが容易になる。
【００７２】
なお、本実施の形態においても、第１の実施の形態と同様に、搬送原稿読取モードにおけるプラテンガラス１０２上の原稿搬送領域Ｂを、指標板４０２が設けられてないプラテンガラス１０２上の領域に設定している。これにより、搬送原稿読取モードの場合、原稿Ｓは、指標板４０２に引っかかることなく搬送される。
【００７３】
ところで、既述した第１及び第２の実施の形態では、原稿Ｓを搬送ベルト２０７によってプラテンガラス１０２上に搬送した後、ランプ１０３や第１〜第３ミラー１０４〜１０６を移動して走査する形態を例示した。しかしながら、ランプ１０３や第１〜第３ミラー１０４〜１０６を所定の画像読み取り位置の下方に固定すると共に画像読み取り位置の上方を搬送ベルト２０７によって原稿を搬送しながら、原稿画像を読み取る形態であってもよい。
【００７４】
また、第１及び第２の実施の形態においては、プラテンガラス１０２に沿って原稿を搬送する搬送手段として搬送ベルトを例示したが、例えば原稿をローラにより搬送するようにしても良い。
【００７５】
図９は、このような原稿をローラにより搬送するようにした自動原稿給送装置を備えたデジタルスキャナ１の構成を説明する図である。なお、図９において、既述した図１と同一符号は、同一又は相当部分を示している。
【００７６】
図９において、５０１はスキャナ部１０１の上方にスキャナ部１０１に対して開放自在に設けられている自動原稿給送装置、５０２は原稿Ｓを積載する原稿トレイ、５０３は原稿トレイ５０２に積載された原稿Ｓを給送するピックアップローラである。５０４はピックアップローラ５０３によって給送された原稿Ｓを分離する分離ローラ、５０６はプラテンガラス上に原稿を搬送するプラテンローラ、５０９は搬送後の原稿Ｓを排出する排出ローラである。なお、プラテンローラ５０６の搬送方向の上流側及び下流側には夫々、搬送ローラ５０５、搬送ローラ５０７，５０８が設けられている。
【００７７】
次に、このような自動原稿給送装置５０１を備えたデジタルスキャナ１の搬送原稿読取モードにおける原稿画像読取動作について説明する。
【００７８】
この場合、まず原稿トレイ５０２に載置された原稿Ｓを、ピックアップローラ５０３及び分離ローラ５０４により１枚ずつ分離・給送する。この後、搬送ローラ５０５により原稿Ｓを、プラテンガラス１０２上の所定の読み取り位置にプラテンガラス右側から搬送し、読み取り位置の上方に配されたプラテンローラ５０６により原稿Ｓをプラテンガラス１０２上に押し付けながら原稿画像を読み取る。
【００７９】
なお、このときランプ１０３や第１〜第３ミラー１０４〜１０６は、この画像読み取り位置の下方に固定されており、この状態で所定の読み取り位置を通過する原稿Ｓの画像を読み取るようにしている。この後、画像が読み取られた原稿Ｓを、プラテンローラ５０６、搬送ローラ５０７，５０８を経て排出ローラ５０９によりプラテンガラス１０２の左端から搬送し、原稿トレイ５０２上に排出する。
【００８０】
なお、原稿Ｓの両面の画像を読み取る場合には、排出ローラ５０９により搬送された原稿Ｓの後端が分岐部５１０を越えると、排出ローラ５０９を逆転させ、再度、搬送ローラ５０５に原稿Ｓを搬送することで、原稿Ｓの表裏を反転させて画像を読み取る。この後、もう一度原稿Ｓの表裏を反転させてから排出する。
【００８１】
ここで、このような構成のデジタルスキャナ１においても、プラテンガラス１０２上の指標板の構成は既述した第１又は第２の実施の形態と同様である。また、原稿の搬送領域と指標板との位置関係も第１又は第２の実施の形態と同様である。即ち、指標板は、自動原稿給送装置５０１の原稿搬送領域外であって、原稿搬送領域から奥行き方向（図９の紙面に対して垂直な方向）にずれて設けられている。
【００８２】
また、既述した第１及び第２の実施の形態においては、表面の画像を読み取った原稿を反転するための反転部と、画像が読み取られた原稿を排出するための排出部とをプラテンガラス１０２を境として対向して設ける構成を例示した。しかしながら、排出部と反転部とをプラテンガラスを境にしてそれぞれ逆の位置に設ける構成であっても良い。
【００８３】
図１０は、このような排出部と反転部とをプラテンガラスを境にしてそれぞれ逆の位置に設けるようにしたデジタルスキャナ１の構成を説明する図である。なお、図１０において、既述した図１と同一符号は、同一又は相当部分を示している。
【００８４】
図１０において、６０１はスキャナ部１０１の上方にスキャナ部１０１に対して開放自在に設けられている自動原稿給送装置、６０２は原稿Ｓを積載する原稿トレイ、６０３は原稿トレイ６０２に積載された原稿Ｓを給送するピックアップローラである。６０４はピックアップローラ６０３によって給送された原稿Ｓを分離する分離ローラ、６０５ａ、６０５ｂは分離ローラ６０４によって分離された原稿を搬送する搬送ローラ対である。
【００８５】
６０６は搬送ローラ対６０５ａ，６０５ｂによって搬送された原稿Ｓを搬送ベルト２０７の方向へ搬送するレジストローラ対である。６１は搬送ベルト２０７の上方に設けられ、スキャナ部１０１によって読み取られた原稿を排紙トレイ６１０に排出するための排出部である。この排出部６１はプラテンガラス１０２の一端側（左側）から排出された原稿を排紙トレイ６１０へ排出する排紙ローラ対６０９を備えている。
【００８６】
６２はプラテンガラス１０２の他端側（右側）に設けられ、原稿の裏表を反転するための反転部であり、この反転部６２は環状搬送路６３と、環状搬送路６３に設けられた反転搬送ローラ対６３ａ〜６３ｃとを備えている。
【００８７】
この反転部６２は、搬送ベルト２０７によってプラテンガラス１０２の右側から排出された原稿の裏表を反転する際には、まず反転搬送ローラ対６３ａ〜６３ｃによって原稿を搬送するようにしている。そして、この後、プラテンガラス１０２の右側から搬送ベルト２０７へ原稿を再度搬入するようにしている。
【００８８】
次に、このような自動原稿給送装置６０１を備えたデジタルスキャナ１の搬送原稿読取モードにおける原稿画像読取動作について説明する。
【００８９】
この場合、まず原稿トレイ６０２に載置された原稿Ｓを、ピックアップローラ６０３及び分離ローラ６０４により１枚ずつ分離・給送する。この後、搬送ローラ６０５ａ，６０５ｂを経てレジストローラ６０６により、原稿Ｓをプラテンガラス１０２上にプラテンガラス左側から搬送する。
【００９０】
次に、プラテンガラス１０２上では原稿Ｓを、搬送ベルト２０７により搬送し、プラテンガラス１０２上の所定の読み取り位置で停止させる。そして、このようにプラテンガラス１０２上の所定の読み取り位置に原稿Ｓを停止させた後、スキャナ部１０１によって原稿画像を読み取る。
【００９１】
そして、片面の画像だけ読み取る場合には、片面の画像だけ読み取った後、搬送ベルト２０７を逆転して原稿Ｓをプラテンガラス１０２の左側から排出し、レジストローラ対６０６を経て排出ローラ対６０９によって排出トレイ６１０に排出する。
【００９２】
また、原稿の両面の画像を読み取る場合には、原稿の一方の面の画像を読み取った後、原稿Ｓを、搬送ベルト２０７によってプラテンガラス１０２の右側から排出して反転部６２によって原稿の裏表を反転させてプラテンガラス１０２にて再度導く。即ち、搬送ベルト２０７によってプラテンガラス１０７に右側から排出された原稿を、環状搬送路６３の搬送反転ローラ対６３ａ〜６３ｃによって順次搬送して再度プラテンガラス１０２の右側から搬入する。
【００９３】
この後、原稿Ｓを搬送ベルト２０７によってプラテンガラス１０２上の所定の位置に停止させて他方の面の画像をスキャナ部１０１によって読み取る。なお、両面の画像が読み取られた後、原稿Ｓをプラテンガラス１０２の左側から搬送ベルト２０７によって搬送し、レジストローラ対６０６を経て排出ローラ対６０９によって排出トレイ６１０に排出する。
【００９４】
ここで、このような構成のデジタルスキャナ１においても、プラテンガラス１０２上の指標板の構成は既述した第１又は第２の実施の形態と同様である。また、レジストローラ６０６による原稿の原稿搬送領域と指標板との位置関係も第１又は第２の実施の形態と同様である。即ち、指標板は、自動原稿給送装置６０１の原稿搬送領域外であって、原稿搬送領域から奥行き方向（図１０の紙面に対して垂直な方向）にずれて設けられている。
【００９５】
なお、これまでは画像読取装置単体の構成について述べてきたが、本発明はこれに限らない。例えば、画像読取装置により読み取った画像情報に基づいて画像を形成する画像形成部を備えた画像形成装置に設けられる画像読取装置についても適用できることは言うまでもない。
【図面の簡単な説明】
【００９６】
【図１】本発明の第１の実施の形態に係る画像読取装置の一例であるデジタルスキャナの概略構成図。
【図２】上記デジタルスキャナをスキャナ部と共に構成する自動原稿給送装置が開放された状態を示す斜視図。
【図３】上記スキャナ部のプラテンガラス周辺の構成を示す上視図。
【図４】上記自動原稿給送装置によるプラテンガラス上の原稿搬送領域を説明する上視図。
【図５】上記デジタルスキャナの制御ブロック図。
【図６】上記スキャナ部の、（ａ）はプラテンガラス上に載置した原稿の画像を読み取るときの状態を示す図、（ｂ）は自動原稿給送装置によって搬送され、プラテンガラス上に停止した原稿の画像を読み取るときの状態を示す図。
【図７】上記デジタルスキャナの原稿画像読取動作を示すフローチャート。
【図８】本発明の第２の実施の形態に係る画像読取装置の一例であるデジタルスキャナのスキャナ部の上視図。
【図９】上記第１及び第２の実施の形態に係るデジタルスキャナの自動原稿給送装置の他の構成を示す第１の図。
【図１０】上記第１及び第２の実施の形態に係るデジタルスキャナの自動原稿給送装置の他の構成を示す第２の図。
【図１１】従来の画像読取装置の概略構成を示す図。
【図１２】従来の指標板の構成を説明する図。
【符号の説明】
【００９７】
１        デジタルスキャナ
２０      給送部
２４      操作部
１０１    スキャナ部
１０１Ａ  画像読取部
１０２    プラテンガラス
１１１    指標板
１１１ａ  第１突き当て部
１１１ｂ  第２突き当て部
２０１    自動原稿給送装置
４０２    指標板
４０２ａ  第１突き当て部
４０２ｂ  第２突き当て部
５０１    自動原稿給送装置
６０１    自動原稿給送装置
Ｃ        制御部
Ｓ        原稿
【図１】
2008306295.tif 000003
【図２】
2008306295.tif 000004
【図３】
2008306295.tif 000005
【図４】
2008306295.tif 000006
【図５】
2008306295.tif 000007
【図６】
2008306295.tif 000008
【図７】
2008306295.tif 000009
【図８】
2008306295.tif 000010
【図９】
2008306295.tif 000011
【図１０】
2008306295.tif 000012
【図１１】
2008306295.tif 000013
【図１２】
2008306295.tif 000014